(57)【要約】  本願の実施例はページング方法、端末装置及びネットワーク装置を開示し、該方法は、端末装置が複数の制御リソースセット（ＣＯＲＳＥＴ）から前記端末装置に対応するターゲットＣＯＲＳＥＴを確定することと、前記端末装置は前記ターゲットＣＯＲＳＥＴにおける共通の探索空間において、ページングメッセージをスケジューリングするための物理ダウンリンク制御チャネル（ＰＤＣＣＨ）を受信することと、前記ＰＤＣＣＨに基づいて、前記ページングメッセージを取得することと、を含む。
2021512541.tif 000002
【特許請求の範囲】
【請求項１】
端末装置が複数の制御リソースセット（ＣＯＲＳＥＴ）から前記端末装置に対応するターゲットＣＯＲＳＥＴを確定することと、
前記端末装置は前記ターゲットＣＯＲＳＥＴにおける共通の探索空間において、ページングメッセージをスケジューリングするための物理ダウンリンク制御チャネル（ＰＤＣＣＨ）を受信することと、
前記ＰＤＣＣＨに基づいて、前記ページングメッセージを取得することと、を含むことを特徴とするページング方法。
【請求項２】
前記端末装置が複数の制御リソースセット（ＣＯＲＳＥＴ）から前記端末装置に対応するターゲットＣＯＲＳＥＴを確定することは、
前記端末装置が前記端末装置の識別子（ＩＤ）に基づいて、前記複数のＣＯＲＳＥＴから前記ターゲットＣＯＲＳＥＴを確定することを含むことを特徴とする請求項１に記載の方法。
【請求項３】
前記端末装置が前記端末装置の識別子（ＩＤ）に基づいて、前記複数のＣＯＲＳＥＴから前記ターゲットＣＯＲＳＥＴを確定することは、
前記端末装置は前記複数のＣＯＲＳＥＴのうちの索引番号がｋであるＣＯＲＳＥＴを前記ターゲットＣＯＲＳＥＴとして確定することを含み、前記ｋ＝Ｍ  ｍｏｄ  Ｎであり、前記Ｍが前記端末装置のＩＤであり、前記Ｎが前記複数のＣＯＲＳＥＴの数であり、ｍｏｄがモジュロ演算を示すことを特徴とする請求項２に記載の方法。
【請求項４】
前記端末装置のＩＤは前記端末装置がページングサブフレーム又はページング時点を計算するためのＩＤであることを特徴とする請求項２又は３に記載の方法。
【請求項５】
端末装置はページングメッセージをスケジューリングするための物理ダウンリンク制御チャネル（ＰＤＣＣＨ）を受信し、前記ＰＤＣＣＨはページングメッセージがあるかどうかを指示するための指示情報、及び／又は、前記ページングメッセージが前記端末装置に対するものかどうかを前記端末装置が確定するためのルール情報を含むことと、
前記端末装置が前記指示情報及び／又は前記ルール情報に基づいて、前記ページングメッセージを受信するかどうかを確定することと、を含むことを特徴とするページング方法。
【請求項６】
前記端末装置が前記指示情報及び／又は前記ルール情報に基づいて、前記ページングメッセージを受信するかどうかを確定することは、
前記指示情報がページングメッセージのないことを指示する場合、前記端末装置が前記ページングメッセージを受信しないことを確定することを含むことを特徴とする請求項５に記載の方法。
【請求項７】
前記端末装置が前記指示情報及び／又は前記ルール情報に基づいて、前記ページングメッセージを受信するかどうかを確定することは、
前記指示情報がページングメッセージのあることを指示する場合、前記端末装置が前記ルール情報に基づいて前記ページングメッセージを受信する必要があるかどうかを確定することを含むことを特徴とする請求項５に記載の方法。
【請求項８】
前記ルール情報は前記端末装置の識別情報が満足すべきルール条件を指示することに用いられ、前記端末装置が前記ルール情報に基づいて、前記ページングメッセージを受信するかどうかを確定することは、
前記端末装置の識別情報が前記ルール条件を満足し、前記ページングメッセージが前記端末装置に対するものであることを前記端末装置が確定した場合、前記ページングメッセージを受信することを確定すること、又は
前記端末装置の識別情報が前記ルール条件を満足せず、前記ページングメッセージが前記端末装置に対するものでないことを前記端末装置が確定した場合、前記ページングメッセージを受信しないことを確定することを含むことを特徴とする請求項７に記載の方法。
【請求項９】
前記ルール条件は、
端末装置の識別子のＸに対するモジュロ演算がＹであること、
端末装置の識別子の最後ビットがＺであること、
端末装置の識別子の下位Ｋビットがａ１ａ２・・・ａＫであること、
端末装置の識別子の上位Ｌビットがｂ１ｂ２・・・ｂＬであること、
端末装置の端末タイプ情報、のうちの少なくとも１つを含むことを特徴とする請求項８に記載の方法。
【請求項１０】
端末装置はページングメッセージをスケジューリングするための物理ダウンリンク制御チャネル（ＰＤＣＣＨ）を受信し、前記ＰＤＣＣＨはページングメッセージがないことを指示するための指示情報と、ページングされた端末装置の識別情報とを含むことと、
前記ページングされた端末装置の識別情報に前記端末装置の識別情報が含まれる場合、前記端末装置がランダムアクセス過程を開始することと、を含むことを特徴とするページング方法。
【請求項１１】
ネットワーク装置が複数の制御リソースセット（ＣＯＲＳＥＴ）からページングされた少なくとも１つの端末装置に対応するターゲットＣＯＲＳＥＴを確定することと、
前記ネットワーク装置は前記ターゲットＣＯＲＳＥＴにおける共通の探索空間において、ページングメッセージをスケジューリングするための物理ダウンリンク制御チャネル（ＰＤＣＣＨ）を送信し、前記ページングメッセージは前記少なくとも１つの端末装置をページングすることに用いられることと、を含むことを特徴とするページング方法。
【請求項１２】
前記ネットワーク装置が複数の制御リソースセット（ＣＯＲＳＥＴ）からページングされた少なくとも１つの端末装置に対応するターゲットＣＯＲＳＥＴを確定することは、
前記ネットワーク装置が前記少なくとも１つの端末装置の識別子（ＩＤ）に基づいて、前記複数のＣＯＲＳＥＴから前記ターゲットＣＯＲＳＥＴを確定することを含むことを特徴とする請求項１１に記載の方法。
【請求項１３】
前記少なくとも１つの端末装置が第１端末装置を含み、前記ネットワーク装置が前記少なくとも１つの端末装置の識別子（ＩＤ）に基づいて、前記複数のＣＯＲＳＥＴから前記ターゲットＣＯＲＳＥＴを確定することは、
前記ネットワーク装置は前記複数のＣＯＲＳＥＴのうちの索引番号がｋであるＣＯＲＳＥＴを前記ターゲットＣＯＲＳＥＴとして確定することを含み、前記ｋ＝Ｍ  ｍｏｄ  Ｎであり、前記Ｍが前記第１端末装置のＩＤであり、前記Ｎが前記複数のＣＯＲＳＥＴの数であり、ｍｏｄがモジュロ演算を示すことを特徴とする請求項１２に記載の方法。
【請求項１４】
前記端末装置のＩＤは前記端末装置がページングサブフレーム又はページング時点を計算するためのＩＤであることを特徴とする請求項１２又は１３に記載の方法。
【請求項１５】
ネットワーク装置はページングメッセージをスケジューリングするための物理ダウンリンク制御チャネル（ＰＤＣＣＨ）を送信し、前記ＰＤＣＣＨはページングメッセージがあるかどうかを指示するための指示情報、及び／又は、前記ページングメッセージが前記端末装置に対するものかどうかを前記端末装置が確定するためのルール情報を含み、それにより前記端末装置が前記指示情報及び／又は前記ルール情報に基づいて、前記ページングメッセージを受信するかどうかを確定することを含むことを特徴とするページング方法。
【請求項１６】
前記ルール情報は前記端末装置の識別情報が満足すべきルール条件を指示することに用いられることを特徴とする請求項１５に記載の方法。
【請求項１７】
前記ルール条件は、
端末装置の識別子のＸに対するモジュロ演算がＹであること、
端末装置の識別子の最後ビットがＺであること、
端末装置の識別子の下位Ｋビットがａ１ａ２・・・ａＫであること、
端末装置の識別子の上位Ｌビットがｂ１ｂ２・・・ｂＬであること、
端末装置の端末タイプ情報、のうちの少なくとも１つを含むことを特徴とする請求項１６に記載の方法。
【請求項１８】
ネットワーク装置はページングメッセージをスケジューリングするための物理ダウンリンク制御チャネル（ＰＤＣＣＨ）を送信し、前記ＰＤＣＣＨは指示情報と、ページングされた端末装置の識別情報とを含み、前記指示情報はページングメッセージがないことを指示することに用いられ、それにより端末装置は前記ページングされた端末装置の識別情報に前記端末装置の識別情報が含まれることを確定した場合、ランダムアクセス過程を開始することを含むことを特徴とするページング方法。
【請求項１９】
端末装置であって、
複数の制御リソースセット（ＣＯＲＳＥＴ）から前記端末装置に対応するターゲットＣＯＲＳＥＴを確定することに用いられる確定モジュールと、
前記ターゲットＣＯＲＳＥＴにおける共通の探索空間において、ページングメッセージをスケジューリングするための物理ダウンリンク制御チャネル（ＰＤＣＣＨ）を受信することに用いられる通信モジュールと、
前記ＰＤＣＣＨに基づいて、前記ページングメッセージを取得することに用いられる取得モジュールと、を備えることを特徴とする端末装置。
【請求項２０】
前記確定モジュールは具体的に、
前記端末装置の識別子（ＩＤ）に基づいて、前記複数のＣＯＲＳＥＴから前記ターゲットＣＯＲＳＥＴを確定することに用いられることを特徴とする請求項１９に記載の端末装置。
【請求項２１】
前記確定モジュールは具体的に、
前記複数のＣＯＲＳＥＴのうちの索引番号がｋであるＣＯＲＳＥＴを前記ターゲットＣＯＲＳＥＴとして確定することに用いられ、前記ｋ＝Ｍ  ｍｏｄ  Ｎであり、前記Ｍが前記端末装置のＩＤであり、前記Ｎが前記複数のＣＯＲＳＥＴの数であり、ｍｏｄがモジュロ演算を示すことを特徴とする請求項２０に記載の端末装置。
【請求項２２】
前記端末装置のＩＤは前記端末装置がページングサブフレーム又はページング時点を計算するためのＩＤであることを特徴とする請求項２０又は２１に記載の端末装置。
【請求項２３】
端末装置であって、
ページングメッセージをスケジューリングするための物理ダウンリンク制御チャネル（ＰＤＣＣＨ）を受信することに用いられ、前記ＰＤＣＣＨはページングメッセージがあるかどうかを指示するための指示情報、及び／又は、前記ページングメッセージが前記端末装置に対するものかどうかを前記端末装置が確定するためのルール情報を含む通信モジュールと、
前記指示情報及び／又は前記ルール情報に基づいて、前記ページングメッセージを受信するかどうかを確定することに用いられる確定モジュールと、を備えることを特徴とする端末装置。
【請求項２４】
前記確定モジュールは具体的に、
前記指示情報がページングメッセージのないことを指示する場合、前記ページングメッセージを受信しないことを確定することに用いられることを特徴とする請求項２３に記載の端末装置。
【請求項２５】
前記確定モジュールは更に、
前記指示情報がページングメッセージのあることを指示する場合、前記ルール情報に基づいて前記ページングメッセージを受信する必要があるかどうかを確定することに用いられることを特徴とする請求項２３に記載の端末装置。
【請求項２６】
前記ルール情報は前記端末装置の識別情報が満足すべきルール条件を指示することに用いられ、前記確定モジュールは具体的に、
前記端末装置の識別情報が前記ルール条件を満足し、前記ページングメッセージが前記端末装置に対することを確定した場合、前記ページングメッセージを受信することを確定すること、又は
前記端末装置の識別情報が前記ルール条件を満足せず、前記ページングメッセージが前記端末装置に対しないことを確定した場合、前記ページングメッセージを受信しないことを確定することに用いられることを特徴とする請求項２５に記載の端末装置。
【請求項２７】
前記ルール条件は、
端末装置の識別子のＸに対するモジュロ演算がＹであること、
端末装置の識別子の最後ビットがＺであること、
端末装置の識別子の下位Ｋビットがａ１ａ２・・・ａＫであること、
端末装置の識別子の上位Ｌビットがｂ１ｂ２・・・ｂＬであること、
端末装置の端末タイプ情報、のうちの少なくとも１つを含むことを特徴とする請求項２６に記載の端末装置。
【請求項２８】
端末装置であって、
ページングメッセージをスケジューリングするための物理ダウンリンク制御チャネル（ＰＤＣＣＨ）を受信することに用いられ、前記ＰＤＣＣＨはページングメッセージがないことを指示するための指示情報と、ページングされた端末装置の識別情報とを含む通信モジュールと、
前記ページングされた端末装置の識別情報に前記端末装置の識別情報が含まれる場合、ランダムアクセス過程を開始することに用いられるアクセスモジュールと、を備えることを特徴とする端末装置。
【請求項２９】
ネットワーク装置であって、
複数の制御リソースセット（ＣＯＲＳＥＴ）からページングされた少なくとも１つの端末装置に対応するターゲットＣＯＲＳＥＴを確定することに用いられる確定モジュールと、
前記ターゲットＣＯＲＳＥＴにおける共通の探索空間において、ページングメッセージをスケジューリングするための物理ダウンリンク制御チャネル（ＰＤＣＣＨ）を送信することに用いられ、前記ページングメッセージは前記少なくとも１つの端末装置をページングすることに用いられる通信モジュールと、を備えることを特徴とするネットワーク装置。
【請求項３０】
前記確定モジュールは具体的に、
前記少なくとも１つの端末装置の識別子（ＩＤ）に基づいて、前記複数のＣＯＲＳＥＴから前記ターゲットＣＯＲＳＥＴを確定することに用いられることを特徴とする請求項２９に記載のネットワーク装置。
【請求項３１】
前記少なくとも１つの端末装置が第１端末装置を含み、前記確定モジュールは具体的に、
前記複数のＣＯＲＳＥＴのうちの索引番号がｋであるＣＯＲＳＥＴを前記ターゲットＣＯＲＳＥＴとして確定することに用いられ、前記ｋ＝Ｍ  ｍｏｄ  Ｎであり、前記Ｍが前記第１端末装置のＩＤであり、前記Ｎが前記複数のＣＯＲＳＥＴの数であり、ｍｏｄがモジュロ演算を示すことを特徴とする請求項３０に記載のネットワーク装置。
【請求項３２】
前記端末装置のＩＤは前記端末装置がページングサブフレーム又はページング時点を計算するためのＩＤであることを特徴とする請求項３０又は３１に記載のネットワーク装置。
【請求項３３】
ネットワーク装置であって、
ページングメッセージをスケジューリングするための物理ダウンリンク制御チャネル（ＰＤＣＣＨ）を送信することに用いられ、前記ＰＤＣＣＨはページングメッセージがあるかどうかを指示するための指示情報、及び／又は、前記ページングメッセージが前記端末装置に対するものかどうかを前記端末装置が確定するためのルール情報を含み、それにより前記端末装置が前記指示情報及び／又は前記ルール情報に基づいて、前記ページングメッセージを受信するかどうかを確定する通信モジュールを備えることを特徴とするネットワーク装置。
【請求項３４】
前記ルール情報は前記端末装置の識別情報が満足すべきルール条件を指示することに用いられることを特徴とする請求項３３に記載のネットワーク装置。
【請求項３５】
前記ルール条件は、
端末装置の識別子のＸに対するモジュロ演算がＹであること、
端末装置の識別子の最後ビットがＺであること、
端末装置の識別子の下位Ｋビットがａ１ａ２・・・ａＫであること、
端末装置の識別子の上位Ｌビットがｂ１ｂ２・・・ｂＬであること、
端末装置の端末タイプ情報、のうちの少なくとも１つを含むことを特徴とする請求項３４に記載のネットワーク装置。
【請求項３６】
ネットワーク装置であって、
ページングメッセージをスケジューリングするための物理ダウンリンク制御チャネル（ＰＤＣＣＨ）を送信することに用いられ、前記ＰＤＣＣＨは指示情報と、ページングされた端末装置の識別情報とを含み、前記指示情報はページングメッセージがないことを指示することに用いられ、それにより端末装置は前記ページングされた端末装置の識別情報に前記端末装置の識別情報が含まれることを確定した場合、ランダムアクセス過程を開始する通信モジュールを備えることを特徴とするネットワーク装置。
【発明の詳細な説明】
【技術分野】
【０００１】
本願の実施例は通信分野に関し、より具体的に、ページング方法、端末装置及びネットワーク装置に関する。
【背景技術】
【０００２】
５Ｇ新無線（ＮＲ、Ｎｅｗ  Ｒａｄｉｏ）システムにおいて、コアネットワーク側に端末装置のコンテキスト情報が保存されてもよく、該コンテキスト情報が端末装置のトラッキングエリアリスト（ＴＡ  ｌｉｓｔ、Ｔｒａｃｋｉｎｇ  Ａｒｅａ  ｌｉｓｔ）を含んでもよく、１つの端末装置をページングするとき、コアネットワークは該端末装置のＴＡ  ｌｉｓｔにおけるすべての基地局においてページングメッセージを送信して、基地局のすべてのセルにおいて該端末装置に対するページングを送信するようにこれらの基地局をトリガーしてもよい。
【０００３】
それに対応して、端末装置は基地局から送信されたページングメッセージを受信し、該ページングメッセージが自体をページングするかどうかを確定することになるが、多くの場合、該ページングメッセージはいずれも他の端末装置をページングするものであり、端末装置の消費電力を増加させてしまい、従って、端末装置の消費電力を低減するために、どのようにページングするかは、早急な解決の待たれる問題である。
【発明の概要】
【発明が解決しようとする課題】
【０００４】
本願の実施例は端末装置の消費電力の低減に役立つページング方法及び装置を提供する。
【課題を解決するための手段】
【０００５】
第１態様ではページング方法を提供し、
端末装置が複数の制御リソースセット（ＣＯＲＳＥＴ）から前記端末装置に対応するターゲットＣＯＲＳＥＴを確定することと、
前記端末装置は前記ターゲットＣＯＲＳＥＴにおける共通の探索空間において、ページングメッセージをスケジューリングするための物理ダウンリンク制御チャネル（ＰＤＣＣＨ）を受信することと、
前記ＰＤＣＣＨに基づいて、前記ページングメッセージを取得することと、を含む。
【０００６】
従って、本願の実施例の端末装置は該端末装置に対応するＣＯＲＳＥＴの共通の探索空間においてＰＤＣＣＨを受信すればよく、各ＣＯＲＳＥＴの共通の探索空間においていずれもＰＤＣＣＨを受信してページングメッセージを取得する必要がなく、端末装置の消費電力の低減に役立つ。
【０００７】
可能な実現方式では、前記端末装置が複数の制御リソースセット（ＣＯＲＳＥＴ）から前記端末装置に対応するターゲットＣＯＲＳＥＴを確定することは、
前記端末装置が前記端末装置の識別子（ＩＤ）に基づいて、前記複数のＣＯＲＳＥＴから前記ターゲットＣＯＲＳＥＴを確定することを含む。
【０００８】
可能な実現方式では、前記端末装置が前記端末装置の識別子（ＩＤ）に基づいて、前記複数のＣＯＲＳＥＴから前記ターゲットＣＯＲＳＥＴを確定することは、
前記端末装置は前記複数のＣＯＲＳＥＴのうちの索引番号がｋであるＣＯＲＳＥＴを前記ターゲットＣＯＲＳＥＴとして確定することを含み、前記ｋ＝Ｍ  ｍｏｄ  Ｎであり、前記Ｍが前記端末装置のＩＤであり、前記Ｎが前記複数のＣＯＲＳＥＴの数であり、ｍｏｄがモジュロ演算を示す。
【０００９】
可能な実現方式では、前記端末装置のＩＤは前記端末装置がページングサブフレーム又はページング時点を計算するためのＩＤである。
【００１０】
第２態様ではページング方法を提供し、
端末装置はページングメッセージをスケジューリングするための物理ダウンリンク制御チャネル（ＰＤＣＣＨ）を受信し、前記ＰＤＣＣＨはページングメッセージがあるかどうかを指示するための指示情報、及び／又は、前記ページングメッセージが前記端末装置に対するものかどうかを前記端末装置が確定するためのルール情報を含むことと、
前記端末装置が前記指示情報及び／又は前記ルール情報に基づいて、前記ページングメッセージを受信するかどうかを確定することと、を含む。
【００１１】
従って、本願の実施例のページング方法によれば、端末装置は指示情報及びルール情報に基づいてページングメッセージを受信するかどうかを確定することができ、それにより前記端末装置は、該指示情報がページングメッセージのあることを指示し、且つ、該ルール情報に基づいて、該ページングメッセージでページングされるターゲット端末が前記端末装置を含むことを確定した場合のみ、該ページングメッセージを受信することができ、他の端末装置のページングメッセージを誤って受信する確率の低減に役立ち、同時に、端末装置は自体に対するページングメッセージのみを受信するため、端末装置の消費電力の低減に役立つ。
【００１２】
可能な実現方式では、前記端末装置が前記指示情報及び／又は前記ルール情報に基づいて、前記ページングメッセージを受信するかどうかを確定することは、
前記指示情報がページングメッセージのないことを指示する場合、前記端末装置が前記ページングメッセージを受信しないことを確定することを含む。
【００１３】
可能な実現方式では、前記端末装置が前記指示情報及び／又は前記ルール情報に基づいて、前記ページングメッセージを受信するかどうかを確定することは、
前記指示情報がページングメッセージのあることを指示する場合、前記端末装置が前記ルール情報に基づいて前記ページングメッセージを受信する必要があるかどうかを確定することを含む。
【００１４】
選択肢として、前記指示情報がページングメッセージのあることを指示する場合、前記端末装置は前記ルール情報に基づいて、該ページングメッセージが自体に対することを確定すると、後続のページングメッセージを受信せずに、ランダムアクセス過程を直接に開始してもよい。
【００１５】
可能な実現方式では、前記ルール情報は前記端末装置の識別情報が満足すべきルール条件を指示することに用いられ、前記端末装置が前記ルール情報に基づいて、前記ページングメッセージを受信するかどうかを確定することは、
前記端末装置の識別情報が前記ルール条件を満足し、前記ページングメッセージが前記端末装置に対するものであることを前記端末装置が確定した場合、前記ページングメッセージを受信することを確定すること、又は
前記端末装置の識別情報が前記ルール条件を満足せず、前記ページングメッセージが前記端末装置に対するものでないことを前記端末装置が確定した場合、前記ページングメッセージを受信しないことを確定することを含む。
【００１６】
可能な実現方式では、前記ルール条件は、端末装置の識別子のＸに対するモジュロ演算がＹであること、端末装置の識別子の最後ビットがＺであること、端末装置の識別子の下位Ｋビットがａ１ａ２・・・ａＫであること、端末装置の識別子の上位Ｌビットがｂ１ｂ２・・・ｂＬであること、端末装置の端末タイプ情報、のうちの少なくとも１つを含み、前記Ｘ、前記Ｙ、前記Ｚ、前記ａ１ａ２・・・ａＫ、前記ｂ１ｂ２・・・ｂＬが既知数である。
【００１７】
第３態様ではページング方法を提供し、
端末装置はページングメッセージをスケジューリングするための物理ダウンリンク制御チャネル（ＰＤＣＣＨ）を受信し、前記ＰＤＣＣＨはページングメッセージがないことを指示するための指示情報と、ページングされた端末装置の識別情報とを含むことと、
前記ページングされた端末装置の識別情報に前記端末装置の識別情報が含まれる場合、前記端末装置がランダムアクセス過程を開始することと、を含む。
【００１８】
従って、本願の実施例のページング方法によれば、ページングされた端末装置の数が比較的少ない場合、ネットワーク装置はページングされた端末装置の識別情報をＰＤＣＣＨに直接に含めてもよく、それにより端末装置はページングメッセージを受信することにより自体がページングされたかどうかを確定する必要がなく、直接に該ＰＤＣＣＨに基づいてページングされたかどうかを確定してもよく、端末装置の消費電力の低減に役立つ、更に、自体がページングされたことを確定した場合、ランダムアクセス過程を開始し、そうでない場合、ランダムアクセス過程を開始しなくてもよい。
【００１９】
第４態様ではページング方法を提供し、
ネットワーク装置が複数の制御リソースセット（ＣＯＲＳＥＴ）からページングされた少なくとも１つの端末装置に対応するターゲットＣＯＲＳＥＴを確定することと、
前記ネットワーク装置は前記ターゲットＣＯＲＳＥＴにおける共通の探索空間において、ページングメッセージをスケジューリングするための物理ダウンリンク制御チャネル（ＰＤＣＣＨ）を送信し、前記ページングメッセージは前記少なくとも１つの端末装置をページングすることに用いられることと、を含む。
【００２０】
可能な実現方式では、前記ネットワーク装置が複数の制御リソースセット（ＣＯＲＳＥＴ）からページングされた少なくとも１つの端末装置に対応するターゲットＣＯＲＳＥＴを確定することは、
前記ネットワーク装置が前記少なくとも１つの端末装置の識別子（ＩＤ）に基づいて、前記複数のＣＯＲＳＥＴから前記ターゲットＣＯＲＳＥＴを確定することを含む。
【００２１】
可能な実現方式では、前記少なくとも１つの端末装置が第１端末装置を含み、前記ネットワーク装置が前記少なくとも１つの端末装置の識別子（ＩＤ）に基づいて、前記複数のＣＯＲＳＥＴから前記ターゲットＣＯＲＳＥＴを確定することは、
前記ネットワーク装置は前記複数のＣＯＲＳＥＴのうちの索引番号がｋであるＣＯＲＳＥＴを前記ターゲットＣＯＲＳＥＴとして確定することを含み、前記ｋ＝Ｍ  ｍｏｄ  Ｎであり、前記Ｍが前記第１端末装置のＩＤであり、前記Ｎが前記複数のＣＯＲＳＥＴの数であり、ｍｏｄがモジュロ演算を示す。
【００２２】
可能な実現方式では、前記端末装置のＩＤは前記端末装置がページングサブフレーム又はページング時点を計算するためのＩＤである。
【００２３】
第５態様ではページング方法を提供し、
ネットワーク装置はページングメッセージをスケジューリングするための物理ダウンリンク制御チャネル（ＰＤＣＣＨ）を送信し、前記ＰＤＣＣＨはページングメッセージがあるかどうかを指示するための指示情報、及び／又は、前記ページングメッセージが前記端末装置に対するものかどうかを前記端末装置が確定するためのルール情報を含み、それにより前記端末装置が前記指示情報及び／又は前記ルール情報に基づいて、前記ページングメッセージを受信するかどうかを確定することを含む。
【００２４】
可能な実現方式では、前記ルール情報は前記端末装置の識別情報が満足すべきルール条件を指示することに用いられる。
【００２５】
可能な実現方式では、前記ルール条件は、端末装置の識別子ＭのＸに対するモジュロ演算がＹであること、端末装置の識別子Ｍの最後ビットがＺであること、端末装置の識別子Ｍの下位Ｋビットがａ１ａ２・・・ａＫであること、端末装置の識別子Ｍの上位Ｌビットがｂ１ｂ２・・・ｂＬであること、端末装置の端末タイプ情報、のうちの少なくとも１つを含む。
【００２６】
第６態様ではページング方法を提供し、
ネットワーク装置はページングメッセージをスケジューリングするための物理ダウンリンク制御チャネル（ＰＤＣＣＨ）を送信し、前記ＰＤＣＣＨは指示情報と、ページングされた端末装置の識別情報とを含み、前記指示情報はページングメッセージがないことを指示することに用いられ、それにより端末装置は前記ページングされた端末装置の識別情報に前記端末装置の識別情報が含まれることを確定した場合、ランダムアクセス過程を開始することを含む。
【００２７】
第７態様では端末装置を提供し、該端末装置は上記第１態様又は第１態様のいずれか１つの可能な実現方式における方法、又は上記第２態様又は第２態様のいずれか１つの可能な実現方式における方法、又は上記第３態様又は第３態様のいずれか１つの可能な実現方式における方法を実行することに用いられる。具体的に、該端末装置は上記第１態様又は第１態様のいずれか１つの可能な実現方式における方法を実行するためのユニットを備え、又は該端末装置は上記第２態様又は第２態様のいずれか１つの可能な実現方式における方法を実行するためのユニットを備え、又は該端末装置は上記第３態様又は第３態様のいずれか１つの可能な実現方式における方法を実行するためのユニットを備える。
【００２８】
第８態様では端末装置を提供し、該端末装置はメモリ、プロセッサ、入力インターフェース及び出力インターフェースを備える。メモリ、プロセッサ、入力インターフェース及び出力インターフェースはバスシステムによって接続される。該メモリは命令を記憶することに用いられ、該プロセッサは該メモリに記憶される命令を実行することに用いられ、上記第１態様又は第１態様のいずれか１つの可能な実現方式における方法、又は上記第２態様又は第２態様のいずれか１つの可能な実現方式における方法、又は上記第３態様又は第３態様のいずれか１つの可能な実現方式における方法を実行することに用いられる。
【００２９】
第９態様ではネットワーク装置を提供し、該ネットワーク装置は上記第４態様又は第５態様のいずれか１つの可能な実現方式における方法、又は上記第５態様又は第５態様のいずれか１つの可能な実現方式における方法、又は上記第６態様又は第６態様のいずれか１つの可能な実現方式における方法を実行することに用いられる。具体的に、該ネットワーク装置は上記第４態様又は第５態様のいずれか１つの可能な実現方式における方法、又は上記第５態様又は第５態様のいずれか１つの可能な実現方式における方法、又は上記第６態様又は第６態様のいずれか１つの可能な実現方式における方法を実行するためのユニットを備える。
【００３０】
第１０態様ではネットワーク装置を提供し、該ネットワーク装置はメモリ、プロセッサ、入力インターフェース及び出力インターフェースを備える。メモリ、プロセッサ、入力インターフェース及び出力インターフェースはバスシステムによって接続される。該メモリは命令を記憶することに用いられ、該プロセッサは該メモリに記憶される命令を実行することに用いられ、上記第４態様又は第５態様のいずれか１つの可能な実現方式における方法、又は上記第５態様又は第５態様のいずれか１つの可能な実現方式における方法、又は上記第６態様又は第６態様のいずれか１つの可能な実現方式における方法を実行することに用いられる。
【００３１】
第１１態様ではコンピュータ記憶媒体を提供し、該コンピュータ記憶媒体は上記第１〜第６態様又は第１〜第６態様のいずれか１つの可能な実現方式における方法を実行するために用いた、上記態様を実行するために設計したプログラムを含むコンピュータソフトウェア命令を記憶することに用いられる。
【００３２】
第１２態様では命令を含むコンピュータプログラム製品を提供し、該製品がコンピュータにおいて実行されるとき、コンピュータは第１〜第６態様又は第１〜第６態様のいずれか１つの可能な実現方式における方法を実行する。
【図面の簡単な説明】
【００３３】
【図１】図１は本願の実施例の応用シーンの模式図を示す。
【図２】図２は本願の実施例のページング方法の模式的なフローチャートを示す。
【図３】図３は本願の他の実施例のページング方法の模式的なフローチャートを示す。
【図４】図４は本願の他の実施例のページング方法の模式的なフローチャートを示す。
【図５】図５は本願の他の実施例のページング方法の模式的なフローチャートを示す。
【図６】図６は本願の他の実施例のページング方法の模式的なフローチャートを示す。
【図７】図７は本願の他の実施例のページング方法の模式的なフローチャートを示す。
【図８】図８は本願の一実施例の端末装置の模式的なブロック図を示す。
【図９】図９は本願の他の実施例の端末装置の模式的なブロック図を示す。
【図１０】図１０は本願の他の実施例の端末装置の模式的なブロック図を示す。
【図１１】図１１は本願の一実施例のネットワーク装置の模式的なブロック図を示す。
【図１２】図１２は本願の他の実施例のネットワーク装置の模式的なブロック図を示す。
【図１３】図１３は本願の他の実施例のネットワーク装置の模式的なブロック図を示す。
【図１４】図１４は本願の他の実施例の端末装置の模式的なブロック図を示す。
【図１５】図１５は本願の他の実施例のネットワーク装置の模式的なブロック図を示す。
【発明を実施するための形態】
【００３４】
以下、図面を参照しながら、本願の実施例の技術案を説明する。
【００３５】
本願の実施例の技術案は様々な通信システム、例えば、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）又は将来の５Ｇシステム等に適用されてもよい。
【００３６】
図１は本願の実施例に適用される無線通信システム１００を示す。該無線通信システム１００はネットワーク装置１１０を備えてもよい。ネットワーク装置１００は端末装置と通信する装置であってもよい。ネットワーク装置１００は特定の地理的領域に通信カバレッジを提供することができ、且つ該カバレッジ領域内に位置する端末装置（例えば、ＵＥ）と通信することができる。選択肢として、該ネットワーク装置１００はＬＴＥシステムにおける発展型基地局（ｅＮＢ又はｅＮｏｄｅＢ、Ｅｖｏｌｕｔｉｏｎａｌ  Ｎｏｄｅ  Ｂ）であってもよく、又は、該ネットワーク装置は中継局、アクセスポイント、車載装置、ウェアラブル装置、将来の５Ｇネットワークにおけるネットワーク側装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００３７】
該無線通信システム１００は更にネットワーク装置１１０のカバレッジ範囲内に位置する少なくとも１つの端末装置１２０を備える。端末装置１２０は可動又は固定であってもよい。選択肢として、端末装置１２０とはアクセス端末、ユーザー装置（ＵＥ、Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００３８】
端末装置がネットワークにアクセスする必要がある場合、ネットワークからシステム情報を取得する必要がある。具体的に、物理放送チャネル（ＰＢＣＨ、Ｐｈｙｓｉｃａｌ  Ｂｒｏａｄｃａｓｔ  Ｃｈａｎｎｅｌ）及び物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）を介してシステム情報を取得することができる。ＰＤＳＣＨに対応するダウンリンク制御情報（ＤＣＩ、Ｄｏｗｎｌｉｎｋ  Ｃｏｎｔｒｏｌ  Ｉｎｆｏｒｍａｔｉｏｎ）は物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）にベアリングされており、ＰＤＣＣＨの位置する時間周波数リソース位置をＰＢＣＨにベアリングされる制御リソースセット（ＣＯＲＳＥＴ、Ｃｏｎｔｒｏｌ  Ｒｅｓｏｕｒｃｅ  Ｓｅｔ）情報で指示してもよく、即ち、ＣＯＲＳＥＴはＰＤＣＣＨの時間周波数リソース情報を指示することに用いられてもよい。
【００３９】
本願の実施例では、端末装置はページングフレーム（ＰＦ、Ｐａｇｉｎｇ  Ｆｒａｍｅ、ページングサブフレームとも称される）及びページング時点（ＰＯ、Ｐａｇｉｎｇ  Ｏｃｃａｓｉｏｎ、ページング時間とも称される）を自主的に計算して、算出された位置に基づいてＰＤＣＣＨを監視することにより、ページングメッセージを取得してもよい。ＰＦ及びＰＯはいずれも端末装置の識別子（ＩＤ、Ｉｄｅｎｔｉｆｉｅｒ、ＵＥ＿ＩＤとも称される）及び間欠受信（ＤＲＸ、Ｄｉｓｃｏｎｔｉｎｕｏｕｓ  Ｒｅｃｅｐｔｉｏｎ）サイクルに関わる。
【００４０】
具体的に、ＰＦ位置については、
ＰＦ＝ＳＦＮ  ｍｏｄ  Ｔ＝（Ｔ  ｄｉｖ  Ｎ）＊（ＵＥ＿ＩＤ  ｍｏｄ  Ｎ）であり、
ＰＯのＰＦでの索引については、
ｉ＿ｓ＝ｆｌｏｏｒ（ＵＥ＿ＩＤ／Ｎ）ｍｏｄ  ＮＳである。
【００４１】
ＳＦＮがシステムフレーム番号（Ｓｙｓｔｅｍ  Ｆｒａｍｅ  Ｎｕｍｂｅｒ）であり、ＵＥ＿ＩＤは端末装置の国際移動体加入者識別番号（ＩＭＳＩ、Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ）によって確定されてもよく、例えば、ＵＥ＿ＩＤ＝ＩＭＳＩ  ｍｏｄ  １０２４である。Ｔが該端末装置のＤＲＸサイクルを示し、上位層（即ち、非アクセス層（ＮＡＳ、Ｎｏｎ  Ａｃｃｅｓｓ  Ｓｔｒａｔｕｍ）に端末装置専用のＤＲＸ値（即ち、ＵＥ  Ｓｐｅｃｉｆｉｃ  ＤＲＸ）を割り当てた場合、ＴがＵＥ  Ｓｐｅｃｉｆｉｃ  ＤＲＸ値及びシステム情報における放送した（即ち、セルに割り当てた）デフォルトのＤＲＸ値の最小値である。上位層にＵＥ  Ｓｐｅｃｉｆｉｃ  ＤＲＸを設定していない場合、デフォルト値を用いる。Ｎ＝ｍｉｎ（Ｔ、ｎＢ）であり、ｎＢの値が４Ｔ、２Ｔ、Ｔ、１／２Ｔ、１／４Ｔ、１／８Ｔ、１／１６Ｔ、１／３２Ｔである。ＮＳ＝ｍａｘ（１、ｎＢ／Ｔ）である。ｍｏｄがモジュロ演算を示し、ｄｉｖが商演算及び剰余演算を示し、ｆｌｏｏｒが切り下げを示す。
【００４２】
端末装置はページング時点に基づいてＰＤＣＣＨを監視して、ページングメッセージを取得することができ、更に、該ページングメッセージを復号して、該ページングメッセージに含まれるページングされた端末装置の識別子を取得することができ、該ページングされた端末装置の識別子には自体の識別子が含まれる場合、該ページングメッセージが自体をページングすることを確定し、そうでない場合、該ページングメッセージが他の端末装置をページングすることを確定する。
【００４３】
しかしながら、多くの場合、端末装置が該ページングメッセージを復号しないと、該ページングメッセージが他の端末装置をページングすること把握できず、このため、端末装置の消費電力を増加してしまう。
【００４４】
これに鑑みて、本願の実施例は端末装置の消費電力の低減に役立つページング方法を提供する。
【００４５】
図２は本願の実施例に係るページング方法２００の模式的なフローチャートであり、該方法２００は図１に示される通信システム１００における端末装置により実行されてもよく、図２に示すように、該方法２００は、
端末装置が複数の制御リソースセット（ＣＯＲＳＥＴ）から前記端末装置に対応するターゲットＣＯＲＳＥＴを確定するＳ２１０と、
前記端末装置は前記ターゲットＣＯＲＳＥＴにおける共通の探索空間において、ページングメッセージをスケジューリングするための物理ダウンリンク制御チャネル（ＰＤＣＣＨ）を受信するＳ２２０と、
前記ＰＤＣＣＨに基づいて、前記ページングメッセージを取得するＳ２３０と、を含んでもよい。
【００４６】
具体的に、ネットワーク装置側に複数のＣＯＲＳＥＴを設定してもよく、各ＣＯＲＳＥＴはＰＤＣＣＨ検出のための時間周波数リソースセットを含んでもよく、該ＰＤＣＣＨ検出のための時間周波数リソースセットは更にＰＤＣＣＨ探索空間と称されてもよく、ＰＤＣＣＨ探索空間はＰＤＣＣＨの共通の探索空間を含んでもよく、端末装置は該ＰＤＣＣＨの共通の探索空間においてＰＤＣＣＨを受信してもよい。
【００４７】
本願の実施例では、各ＣＯＲＳＥＴは１つの端末装置セットに対応してもよく、端末装置セットにおける端末装置は対応するＣＯＲＳＥＴの共通の探索空間のみにおいて、ページングメッセージをスケジューリングするためのＰＤＣＣＨを受信して、ページングメッセージを取得する。
【００４８】
それに対応して、ネットワーク装置は特定の端末装置をページングするとき、該特定の端末装置に対応するＣＯＲＳＥＴを確定し、次に該特定の端末装置に対応するＣＯＲＳＥＴの共通の探索空間において、該特定の端末装置をページングするためのページングメッセージのＰＤＣＣＨを送信してもよい。
【００４９】
すなわち、ネットワーク装置と端末装置とはページングメッセージをスケジューリングするためのＰＤＣＣＨの時間周波数リソース位置について合意でき、それによりネットワーク装置は第１端末装置をページングするとき、該第１端末装置をページングするためのＰＤＣＣＨの時間周波数リソースにおいてＰＤＣＣＨを送信してもよく、同時に、該第１端末装置は該第１端末装置をページングするＰＤＣＣＨの時間周波数リソースのみにおいてＰＤＣＣＨを受信してもよく、これにより、該第１端末装置が他の端末装置のページングメッセージを誤って受信する確率を低減することができ、同時に、本願の実施例の端末装置は各ＣＯＲＳＥＴの共通の探索空間においていずれもＰＤＣＣＨを受信してページングメッセージを取得する必要がなく、端末装置の消費電力の低減に役立つ。
【００５０】
選択肢として、いくつかの実施例では、Ｓ２１０は、
前記端末装置が前記端末装置の識別子（ＩＤ）に基づいて、前記複数のＣＯＲＳＥＴから前記ターゲットＣＯＲＳＥＴを確定することを含んでもよい。
【００５１】
すなわち、端末装置は該端末装置の識別子に基づいて、複数のＣＯＲＳＥＴから前記ターゲットＣＯＲＥＳＴを確定することができ、例えば、各ＣＯＲＥＳＴは１組の端末装置の識別子、例えばＵＥ＿ＩＤに対応してもよく、それにより端末装置は自体のＵＥ＿ＩＤに基づいて該対応関係と組み合わせて、対応するＣＯＲＥＳＴをターゲットＣＯＲＳＥＴとして確定することができ、更に、該ターゲットＣＯＲＳＥＴの共通の探索空間において、該端末装置をページングするためのＰＤＣＣＨを受信して、ページングメッセージを取得することができる。
【００５２】
選択肢として、具体的な一実施例として、前記端末装置が前記端末装置の識別子（ＩＤ）に基づいて、前記複数のＣＯＲＳＥＴから前記ターゲットＣＯＲＳＥＴを確定することは、
前記端末装置は前記複数のＣＯＲＳＥＴのうちの索引番号がｋであるＣＯＲＳＥＴを前記ターゲットＣＯＲＳＥＴとして確定することを含み、前記ｋ＝Ｍ  ｍｏｄ  Ｎであり、前記Ｍが前記端末装置のＩＤであり、前記Ｎが前記複数のＣＯＲＳＥＴの数であり、ｍｏｄがモジュロ演算を示す。
【００５３】
すなわち、各ＣＯＲＳＥＴの索引番号は１組の端末装置の識別子に対応してもよく、即ち、ＣＯＲＳＥＴの索引番号と端末装置の識別子とは対応関係を有してもよく、例えば、該ＣＯＲＳＥＴの索引番号ｋと端末装置の識別子Ｍとの対応関係はｋ＝Ｍ  ｍｏｄ  Ｎであってもよい。
【００５４】
例えば、Ｎ＝２０であり、Ｍ＝１９１９である場合、該端末装置に対応するＣＯＲＳＥＴの索引番号は１９であってもよく、これにより、識別子が１９１９である端末装置は索引番号が１９であるＣＯＲＳＥＴの共通の探索空間においてＰＤＣＣＨを受信して、該端末装置のページングメッセージを取得することができ、それに対応して、ネットワーク装置は該識別子が１９１９である端末装置をページングするとき、該索引番号が１９であるＣＯＲＳＥＴにおける共通の探索空間においてページングメッセージをスケジューリングするためのＰＤＣＣＨを送信することができる。
【００５５】
理解されるように、以上のＣＯＲＳＥＴの索引番号と端末装置の識別子との対応関係は例示的なものに過ぎず、本願の実施例を制限するためのものではなく、該ＣＯＲＳＥＴの索引番号は他の条件を満足する１組の端末装置の識別子に対応してもよく、例えば、各ＣＯＲＳＥＴの索引番号は特定範囲内のＵＥ＿ＩＤに対応してもよく、本願の実施例は特に該ＣＯＲＳＥＴと端末装置との対応関係を制限しない。
【００５６】
選択肢として、本願の実施例では、ＣＯＲＳＥＴを確定するための該端末装置の識別子はページングサブフレーム又はページング時点を確定するためのＵＥ＿ＩＤであってもよい。
【００５７】
図３は本願の他の実施例に係るページング方法を示し、該方法３００は図１に示される通信システム１００における端末装置により実行されてもよく、図３に示すように、該方法３００は、
端末装置はページングメッセージをスケジューリングするための物理ダウンリンク制御チャネル（ＰＤＣＣＨ）を受信し、前記ＰＤＣＣＨはページングメッセージがあるかどうかを指示するための指示情報、及び／又は、前記ページングメッセージが前記端末装置に対するものかどうかを前記端末装置が確定するためのルール情報を含むＳ３１０と、
前記端末装置が前記指示情報及び／又は前記ルール情報に基づいて、前記ページングメッセージを受信するかどうかを確定するＳ３２０と、を含んでもよい。
【００５８】
本願の実施例では、ページングメッセージをスケジューリングするためのＰＤＣＣＨには指示情報が含まれてもよく、該指示情報はページングメッセージがあるかどうか、すなわち、後続にページングメッセージの送信があるかどうかを指示することに用いられてもよく、例えば、該指示情報はページングメッセージがあることを指示する場合、該端末装置は該ルール情報に基づいて、後続のページングメッセージを受信するかどうかを確定することができ、例えば、該ルール情報はページングされた端末装置が満足すべきルール又は条件を指示することに用いられてもよく、端末装置は該ルール又は条件を満足することを確定した場合、後続のページングメッセージを受信することを確定し、そうでない場合、後続のページングメッセージを受信しないことを確定でき、それにより端末装置の消費電力を低減することができ、又は、該指示情報はページングメッセージがないことを指示する場合、該端末装置は後続のページングメッセージを受信しないことを確定できる。又は、該ＰＤＣＣＨにルール情報のみが含まれる場合、該端末装置はページングメッセージがあることを確定でき、次に該ルール情報に基づいて、後続のページングメッセージを受信するかどうかを確定することができる。
【００５９】
従って、本願の実施例のページング方法によれば、端末装置は指示情報及びルール情報に基づいてページングメッセージを受信するかどうかを確定することができ、それにより前記端末装置は、該指示情報がページングメッセージのあることを指示し、且つ、該ルール情報に基づいて、該ページングメッセージでページングされるターゲット端末が前記端末装置を含むことを確定した場合のみ、該ページングメッセージを受信することができ、他の端末装置のページングメッセージを誤って受信する確率の低減に役立ち、同時に、端末装置は自体に対するページングメッセージのみを受信するため、端末装置の消費電力の低減に役立つ。
【００６０】
選択肢として、いくつかの実施例では、該ＰＤＣＣＨがスケジューリングした該ページングメッセージの目的はシステム放送メッセージが変更したことを端末装置に通知することである場合、該ＰＤＣＣＨに含まれる該指示情報はページングメッセージがないことを指示することに用いられてもよく、このように、該端末装置はページングメッセージを受信しなくてもよく、それにより端末装置の消費電力を低減することができる。
【００６１】
選択肢として、いくつかの実施例では、前記ルール情報は前記端末装置の識別情報が満足すべきルール条件を指示することに用いられ、前記端末装置が前記ルール情報に基づいて、前記ページングメッセージを受信するかどうかを確定することは、
前記端末装置の識別情報が前記ルール条件を満足し、前記ページングメッセージが前記端末装置に対するものであることを前記端末装置が確定した場合、前記ページングメッセージを受信することを確定すること、又は
前記端末装置の識別情報が前記ルール条件を満足せず、前記ページングメッセージが前記端末装置に対するものでないことを前記端末装置が確定した場合、前記ページングメッセージを受信しないことを確定することを含む。
【００６２】
即ち、前記ルール情報はページングされた端末装置の識別情報が満足すべきルール条件を指示することに用いられてもよく、このように、前記端末装置は該端末装置の識別情報に基づいて、該ルール条件と組み合わせて、該ページングメッセージが該端末装置に対するかどうか、即ち、該ページングメッセージでページングされるターゲット端末装置に該端末装置が含まれるかどうかを確定することができ、更に、前記端末装置は該ページングメッセージが該端末装置に対する場合、即ち該ページングメッセージでページングされるターゲット端末装置に該端末装置が含まれることを確定した場合、該ＰＤＣＣＨに基づいて該ページングメッセージを受信し、そうでない場合、該ページングメッセージを受信しないことを確定してもよく、それにより他の端末装置のページングメッセージを誤って受信することを回避することができ、端末装置は自体に対するページングメッセージのみを受信するため、端末装置の消費電力を低減することができる。
【００６３】
選択肢として、いくつかの実施例では、前記端末装置は前記ルール情報に基づいてページングメッセージが自体に対することを確定した場合、ページングメッセージを受信せずに、ランダムアクセス過程を直接に開始してもよく、それにより端末装置の消費電力を低減することができる。
【００６４】
選択肢として、いくつかの実施例では、前記ルール条件は、
端末装置の識別子のＸに対するモジュロ演算がＹであること、
端末装置の識別子の最後ビットがＺであること、
端末装置の識別子の下位Ｋビットがａ１ａ２・・・ａＫであること、
端末装置の識別子の上位Ｌビットがｂ１ｂ２・・・ｂＬであること、
端末装置の端末タイプ情報、のうちの少なくとも１つを含み、
前記Ｘ、前記Ｙ、前記Ｚ、前記ａ１ａ２・・・ａＫ、前記ｂ１ｂ２・・・ｂＬは既知数である。
【００６５】
例えば、Ｘ＝３０、Ｙ＝１５であって、端末装置のＩＤが１９１９である場合、前記端末装置はページングメッセージでページングされる端末装置が自体を含まないことを確定できる。
【００６６】
更に、例えば、Ｚ＝９であって、端末装置のＩＤが１９１９である場合、前記端末装置はページングメッセージでページングされる端末装置が自体を含むことを確定できる。
【００６７】
更に、例えば、Ｋ＝３であって、ａ１ａ２、ａ３が１２３であって、端末装置のＩＤが１９１９である場合、前記端末装置はページングメッセージでページングされる端末装置が自体を含むことを確定できる。
【００６８】
更に、例えば、Ｌ＝２であって、ｂ１ｂ２が１９であって、端末装置のＩＤが１９１９である場合、前記端末装置はページングメッセージでページングされる端末装置が自体を含むことを確定できる。
【００６９】
図４は本願の他の実施例に係るページング方法の模式的なフローチャートであり、図４に示すように、該方法４００は、
端末装置はページングメッセージをスケジューリングするための物理ダウンリンク制御チャネル（ＰＤＣＣＨ）を受信し、前記ＰＤＣＣＨはページングメッセージがないことを指示するための指示情報と、ページングされた端末装置の識別情報とを含むＳ４１０と、
前記ページングされた端末装置の識別情報に前記端末装置の識別情報が含まれる場合、前記端末装置がランダムアクセス過程を開始するＳ４２０と、を含んでもよい。
【００７０】
本願の実施例では、ページングされた端末装置の数が比較的少なく、例えば該ページングされた端末装置の数が特定閾値より小さく、例えば該特定閾値が３であってもよい場合、該指示情報はページングメッセージがないことを指示することに用いられてもよく、同時に、ネットワーク装置はページングされた端末装置の識別情報を該ＰＤＣＣＨに含めてもよく、このように、端末装置は直接に該ＰＤＣＣＨに含まれる該ページングされた端末装置の識別情報に基づいて自体がページングされたかどうかを確定することができ、更に、端末装置は自体がページングされたことを確定した場合、ランダムアクセス過程を開始し、そうでない場合、ランダムアクセス過程を開始しなくてもよい。
【００７１】
従って、本願の実施例に係るページング方法によれば、ページングされた端末装置の数が比較的少ない場合、ネットワーク装置はページングされた端末装置の識別情報を直接にＰＤＣＣＨに含めてもよく、それにより端末装置はページングメッセージを受信せずに、直接に該ＰＤＣＣＨに基づいてページングされたかどうかを確定することができ、端末装置の消費電力の低減に役立つ。
【００７２】
以上は図２〜図４を参照しながら、端末装置の観点から本願の実施例に係るページング方法を説明したが、以下に図５〜図７を参照しながら、ネットワーク装置の観点から本願の他の実施例に係るページング方法を説明する。理解されるように、ネットワーク装置側の説明は端末装置側の説明に対応し、類似の説明は以上の説明を参照してもよく、重複を避けるために、ここで繰り返して説明しない。
【００７３】
図５は本願の一実施例に係るページング方法の模式的なフローチャートであり、該方法５００は図１に示される通信システム１００におけるネットワーク装置により実行されてもよく、図５に示すように、該方法５００は、
ネットワーク装置は複数の制御リソースセット（ＣＯＲＳＥＴ）からページングされた少なくとも１つの端末装置に対応するターゲットＣＯＲＳＥＴを確定するＳ５１０と、
前記ネットワーク装置は前記ターゲットＣＯＲＳＥＴにおける共通の探索空間において、ページングメッセージをスケジューリングするための物理ダウンリンク制御チャネル（ＰＤＣＣＨ）を送信し、前記ページングメッセージは前記少なくとも１つの端末装置をページングすることに用いられるＳ５２０と、を含んでもよい。
【００７４】
理解されるように、該ターゲットＣＯＲＳＥＴは１つのＣＯＲＳＥＴを含んでもよく、複数のＣＯＲＳＥＴを含んでもよく、本願の実施例は制限しない。
【００７５】
選択肢として、いくつかの実施例では、Ｓ５１０は、
前記ネットワーク装置が前記少なくとも１つの端末装置の識別子（ＩＤ）に基づいて、前記複数のＣＯＲＳＥＴから前記ターゲットＣＯＲＳＥＴを確定することを含んでもよい。
【００７６】
選択肢として、いくつかの実施例では、前記少なくとも１つの端末装置は第１端末装置を含み、前記ネットワーク装置が前記少なくとも１つの端末装置の識別子（ＩＤ）に基づいて、前記複数のＣＯＲＳＥＴから前記ターゲットＣＯＲＳＥＴを確定することは、
前記ネットワーク装置は前記複数のＣＯＲＳＥＴのうちの索引番号がｋであるＣＯＲＳＥＴを前記ターゲットＣＯＲＳＥＴとして確定することを含み、前記ｋ＝Ｍ  ｍｏｄ  Ｎであり、前記Ｍが前記第１端末装置のＩＤであり、前記Ｎが前記複数のＣＯＲＳＥＴの数であり、ｍｏｄがモジュロ演算を示す。
【００７７】
選択肢として、いくつかの実施例では、前記端末装置のＩＤは前記端末装置がページングサブフレーム又はページング時点を計算するためのＩＤである。
【００７８】
図６は本願の他の実施例に係るページング方法の模式的なフローチャートであり、該方法６００は図１に示される通信システム１００におけるネットワーク装置により実行されてもよく、図６に示すように、該方法６００は、
ネットワーク装置はページングメッセージをスケジューリングするための物理ダウンリンク制御チャネル（ＰＤＣＣＨ）を送信し、前記ＰＤＣＣＨはページングメッセージがあるかどうかを指示するための指示情報、及び／又は、前記ページングメッセージが前記端末装置に対するものであるかどうかを前記端末装置が確定するためのルール情報を含み、それにより前記端末装置は前記指示情報及び／又は前記ルール情報に基づいて、前記ページングメッセージを受信するかどうかを確定するＳ６１０を含んでもよい。
【００７９】
選択肢として、いくつかの実施例では、前記ルール情報は前記端末装置の識別情報が満足すべきルール条件を指示することに用いられる。
【００８０】
選択肢として、いくつかの実施例では、前記ルール条件は、端末装置の識別子のＸに対するモジュロ演算がＹであること、端末装置の識別子の最後ビットがＺであること、端末装置の識別子の下位Ｋビットがａ１ａ２・・・ａＫであること、端末装置の識別子の上位Ｌビットがｂ１ｂ２・・・ｂＬであること、端末装置の端末タイプ情報、のうちの少なくとも１つを含み、前記Ｘ、前記Ｙ、前記Ｚ、前記ａ１ａ２・・・ａＫ、前記ｂ１ｂ２・・・ｂＬは既知数である。
【００８１】
図７は本願の他の実施例に係るページング方法の模式的なフローチャートであり、該方法７００は図１に示される通信システム１００におけるネットワーク装置により実行されてもよく、図７に示すように、該方法７００は、
ネットワーク装置はページングメッセージをスケジューリングするための物理ダウンリンク制御チャネル（ＰＤＣＣＨ）を送信し、前記ＰＤＣＣＨは指示情報と、ページングされた端末装置の識別情報とを含み、前記指示情報はページングメッセージがないことを指示することに用いられ、それにより端末装置は前記ページングされた端末装置の識別情報に前記端末装置の識別情報が含まれることを確定した場合、ランダムアクセス過程を開始するＳ７１０を含んでもよい。
【００８２】
図８は本願の実施例に係る端末装置の模式的なブロック図である。図８に示される端末装置８００は、
複数の制御リソースセット（ＣＯＲＳＥＴ）から前記端末装置に対応するターゲットＣＯＲＳＥＴを確定することに用いられる確定モジュール８１０と、
前記ターゲットＣＯＲＳＥＴにおける共通の探索空間において、ページングメッセージをスケジューリングするための物理ダウンリンク制御チャネル（ＰＤＣＣＨ）を受信することに用いられる通信モジュール８２０と、
前記ＰＤＣＣＨに基づいて、前記ページングメッセージを取得することに用いられる取得モジュール８３０と、を備える。
【００８３】
具体的に、該端末装置８００は上記方法２００に説明された端末装置に対応してもよく（例えば、その端末装置に配置され、又はそれ自体がその端末装置であってもよい）、且つ、該端末装置８００における各モジュール又はユニットはそれぞれ上記方法２００における端末装置の実行する各動作又は処理過程を実行するためのものであり、ここで、重複を避けるために、詳細な説明は省略する。
【００８４】
図９は本願の実施例に係る端末装置の模式的なブロック図である。図９に示される端末装置９００は、
ページングメッセージをスケジューリングするための物理ダウンリンク制御チャネル（ＰＤＣＣＨ）を受信することに用いられ、前記ＰＤＣＣＨはページングメッセージがあるかどうかを指示するための指示情報、及び／又は、前記ページングメッセージが前記端末装置に対するものかどうかを前記端末装置が確定するためのルール情報を含む通信モジュール９１０と、
前記指示情報及び／又は前記ルール情報に基づいて、前記ページングメッセージを受信するかどうかを確定することに用いられる確定モジュール９２０と、を備える。
【００８５】
具体的に、該端末装置９００は上記方法３００に説明される端末装置に対応してもよく（例えば、その端末装置に配置され、又はそれ自体がその端末装置であってもよい）、且つ、該端末装置９００における各モジュール又はユニットはそれぞれ上記方法３００における端末装置の実行する各動作又は処理過程を実行するためのものであり、ここで、重複を避けるために、詳細な説明は省略する。
【００８６】
図１０は本願の実施例に係る端末装置の模式的なブロック図である。図１０に示される端末装置１０００は、
ページングメッセージをスケジューリングするための物理ダウンリンク制御チャネル（ＰＤＣＣＨ）を受信することに用いられ、前記ＰＤＣＣＨはページングメッセージがないことを指示するための指示情報と、ページングされた端末装置の識別情報とを含む通信モジュール１０１０と、
前記ページングされた端末装置の識別情報に前記端末装置の識別情報が含まれる場合、ランダムアクセス過程を開始することに用いられるアクセスモジュール１０２０と、を備える。
【００８７】
具体的に、該端末装置１０００は上記方法４００に説明される端末装置に対応してもよく（例えば、その端末装置に配置され、又はそれ自体がその端末装置であってもよい）、且つ、該端末装置１０００における各モジュール又はユニットはそれぞれ上記方法４００における端末装置の実行する各動作又は処理過程を実行するためのものであり、ここで、重複を避けるために、詳細な説明は省略する。
【００８８】
図１１は本願の実施例に係るネットワーク装置の模式的なブロック図である。図１１に示されるネットワーク装置１１００は、
複数の制御リソースセット（ＣＯＲＳＥＴ）からページングされた少なくとも１つの端末装置に対応するターゲットＣＯＲＳＥＴを確定することに用いられる確定モジュール１１１０と、
前記ターゲットＣＯＲＳＥＴにおける共通の探索空間において、ページングメッセージをスケジューリングするための物理ダウンリンク制御チャネル（ＰＤＣＣＨ）を送信することに用いられ、前記ページングメッセージは前記少なくとも１つの端末装置をページングすることに用いられる通信モジュール１１２０と、を備える。
【００８９】
具体的に、該ネットワーク装置１１００は上記方法５００に説明されるネットワーク装置に対応してもよく（例えば、そのネットワーク装置に配置され、又はそれ自体がそのネットワーク装置であってもよい）、且つ、該ネットワーク装置１１００における各モジュール又はユニットはそれぞれ上記方法５００におけるネットワーク装置の実行する各動作又は処理過程を実行するためのものであり、ここで、重複を避けるために、詳細な説明は省略する。
【００９０】
図１２は本願の実施例に係るネットワーク装置の模式的なブロック図である。図１２に示されるネットワーク装置１２００は、
ページングメッセージをスケジューリングするための物理ダウンリンク制御チャネル（ＰＤＣＣＨ）を送信することに用いられ、前記ＰＤＣＣＨはページングメッセージがあるかどうかを指示するための指示情報、及び／又は、前記ページングメッセージが前記端末装置に対するものかどうかを前記端末装置が確定するためのルール情報を含み、それにより前記端末装置が前記指示情報及び／又は前記ルール情報に基づいて、前記ページングメッセージを受信するかどうかを確定する通信モジュール１２１０を備える。
【００９１】
具体的に、該ネットワーク装置１２００は上記方法６００に説明されるネットワーク装置に対応してもよく（例えば、そのネットワーク装置に配置され、又はそれ自体がそのネットワーク装置であってもよい）、且つ、該ネットワーク装置１２００における各モジュール又はユニットはそれぞれ上記方法６００におけるネットワーク装置の実行する各動作又は処理過程を実行するためのものであり、ここで、重複を避けるために、詳細な説明は省略する。
【００９２】
図１３は本願の実施例に係るネットワーク装置の模式的なブロック図である。図１３に示されるネットワーク装置１３００は、
ページングメッセージをスケジューリングするための物理ダウンリンク制御チャネル（ＰＤＣＣＨ）を送信することに用いられ、前記ＰＤＣＣＨは指示情報と、ページングされた端末装置の識別情報とを含み、前記指示情報はページングメッセージがないことを指示することに用いられ、それにより端末装置は前記ページングされた端末装置の識別情報に前記端末装置の識別情報が含まれることを確定した場合、ランダムアクセス過程を開始する通信モジュール１３００を備える。
【００９３】
具体的に、該ネットワーク装置１３００は上記方法７００に説明されるネットワーク装置に対応してもよく（例えば、そのネットワーク装置に配置され、又はそれ自体がそのネットワーク装置であってもよい）、且つ、該ネットワーク装置１３００における各モジュール又はユニットはそれぞれ上記方法７００におけるネットワーク装置の実行する各動作又は処理過程を実行するためのものであり、ここで、重複を避けるために、詳細な説明は省略する。
【００９４】
図１４に示すように、本願の実施例では端末装置１４００を更に提供し、前記端末装置１４００は図２に示される方法２００、又は図３に示される方法３００、又は図４に示される方法４００における端末装置に対応する内容を実行することに用いられることができる図８における端末装置８００、又は図９における端末装置９００、又は図１０における端末装置１０００であってもよい。
【００９５】
前記端末装置１４００は入力インターフェース１４１０、出力インターフェース１４２０、プロセッサ１４３０及びメモリ１４４０を備え、前記入力インターフェース１４１０、出力インターフェース１４２０、プロセッサ１４３０及びメモリ１４４０はバスシステムによって接続されてもよい。前記メモリ１４４０はプログラム、命令又はコードを記憶することに用いられる。前記プロセッサ１４３０は前記メモリ１４４０におけるプログラム、命令又はコードを実行することに用いられ、それにより入力インターフェース１４１０による信号受信、出力インターフェース１４２０による信号送信を制御して上記方法実施例の操作を完了する。
【００９６】
理解されるように、本願の実施例では、前記プロセッサ１４３０は中央処理装置（ＣＰＵ、Ｃｅｎｔｒａｌ  Ｐｒｏｃｅｓｓｉｎｇ  Ｕｎｉｔ）であってもよく、前記プロセッサ１４３０は更に他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよい。汎用プロセッサはマイクロプロセッサであってもよく、又は前記プロセッサはいかなる通常のプロセッサ等であってもよい。
【００９７】
前記メモリ１４４０は読み出し専用メモリ及びランダムアクセスメモリを含んでもよく、且つプロセッサ１４３０に命令及びデータを提供する。メモリ１４４０の一部は更に不揮発性ランダムアクセスメモリを含んでもよい。例えば、メモリ１４４０には更に装置タイプの情報が記憶されてもよい。
【００９８】
実現過程において、上記方法の各内容はプロセッサ１４３０におけるハードウェアの集積論理回路又はソフトウェア形式の命令で行われてもよい。本願の実施例に開示される方法の内容はハードウェアプロセッサで実行して完成し、又はプロセッサにおけるハードウェア及びソフトウェアモジュールの組み合わせで実行して完成するように直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。前記記憶媒体はメモリ１４４０に位置し、プロセッサ１４３０はメモリ１４４０における情報を読み取り、そのハードウェアと組み合わせて上記方法の内容を行う。重複を避けるために、ここで詳細な説明は省略する。
【００９９】
具体的な一実施形態では、図８における端末装置８００に含まれる確定モジュール８１０又は取得モジュール８３０は図１４におけるプロセッサ１４３０により実現されてもよく、図８における端末装置８００に含まれる通信モジュール８２０は図１４における前記入力インターフェース１４１０及び前記出力インターフェース１４２０により実現されてもよい。
【０１００】
他の具体的な実施形態では、図９における端末装置９００に含まれる確定モジュール９２０は図１４におけるプロセッサ１４３０により実現されてもよく、図９における端末装置９００に含まれる通信モジュール９１０は図１４における前記入力インターフェース１４１０及び前記出力インターフェース１４２０により実現されてもよい。
【０１０１】
他の具体的な実施形態では、図１０における端末装置１０００に含まれるアクセスモジュール１０２０及び通信モジュール１０１０は図１４における前記入力インターフェース１４１０及び前記出力インターフェース１４２０により実現されてもよい。
【０１０２】
図１５に示すように、本願の実施例は更にネットワーク装置１５００を提供し、前記ネットワーク装置１５００は図５に示される方法５００、又は図６に記載の方法６００、又は図７に示される方法７００におけるネットワーク装置に対応する内容を実行することに用いられることができる図１１におけるネットワーク装置１１００、又は図１２におけるネットワーク装置１２００、又は図１３におけるネットワーク装置１３００であってもよい。
【０１０３】
前記ネットワーク装置１５００は入力インターフェース１５１０、出力インターフェース１５２０、プロセッサ１５３０及びメモリ１５４０を備え、前記入力インターフェース１５１０、出力インターフェース１５２０、プロセッサ１５３０及びメモリ１５４０はバスシステムによって接続されてもよい。前記メモリ１５４０はプログラム、命令又はコードを記憶することに用いられる。前記プロセッサ１５３０は前記メモリ１５４０におけるプログラム、命令又はコードを実行することに用いられ、それにより入力インターフェース１５１０による信号受信、出力インターフェース１５２０による信号送信を制御して上記方法実施例の操作を完了する。
【０１０４】
理解されるように、本願の実施例では、前記プロセッサ１５３０は中央処理装置（ＣＰＵ、Ｃｅｎｔｒａｌ  Ｐｒｏｃｅｓｓｉｎｇ  Ｕｎｉｔ）であってもよく、前記プロセッサ１５３０は更に他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよい。汎用プロセッサはマイクロプロセッサであってもよく、又は前記プロセッサはいかなる通常のプロセッサ等であってもよい。
【０１０５】
前記メモリ１５４０は読み出し専用メモリ及びランダムアクセスメモリを含んでもよく、且つプロセッサ１５３０に命令及びデータを提供する。メモリ１５４０の一部は更に不揮発性ランダムアクセスメモリを含んでもよい。例えば、メモリ１５４０には更に装置タイプの情報が記憶されてもよい。
【０１０６】
実現過程において、上記方法の各内容はプロセッサ１５３０におけるハードウェアの集積論理回路又はソフトウェア形式の命令で行われてもよい。本願の実施例に開示される方法の内容はハードウェアプロセッサで実行して完成し、又はプロセッサにおけるハードウェア及びソフトウェアモジュールの組み合わせで実行して完成するように直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。前記記憶媒体はメモリ１５４０に位置し、プロセッサ１５３０はメモリ１５４０における情報を読み取り、そのハードウェアと組み合わせて上記方法の内容を行う。重複を避けるために、ここで詳細な説明は省略する。
【０１０７】
具体的な一実施形態では、図１１におけるネットワーク装置１１００に含まれる確定モジュール１１１０は図１５におけるプロセッサ１５３０により実現されてもよく、図１１におけるネットワーク装置１１００に含まれる通信モジュール１１２０は図１５における前記入力インターフェース１５１０及び前記出力インターフェース１５２０により実現されてもよい。
【０１０８】
他の具体的な実施形態では、図１２におけるネットワーク装置１２００に含まれる通信モジュール１２１０は図１５における前記入力インターフェース１５１０及び前記出力インターフェース１５２０により実現されてもよい。
【０１０９】
他の具体的な実施形態では、図１３におけるネットワーク装置１３００に含まれる通信モジュール１３１０は図１５における前記入力インターフェース１５１０及び前記出力インターフェース１５２０により実現されてもよい。
【０１１０】
本願の実施例ではコンピュータ可読記憶媒体を更に提供し、該コンピュータ可読記憶媒体に１つ又は複数のプログラムが記憶され、該１つ又は複数のプログラムは命令を含み、該命令が複数のアプリケーションプログラムを含む携帯電子機器により実行されるとき、該携帯電子機器は図２〜図７に示される実施例の方法を実行できる。
【０１１１】
本願の実施例ではコンピュータプログラムを更に提供し、該コンピュータプログラムは命令を含み、該コンピュータプログラムがコンピュータにより実行されるとき、コンピュータは図２〜図７に示される実施例の方法の対応プロセスを実行できる。
【０１１２】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決められる。当業者は各特定応用に対して異なる方法でここの説明される機能を実現することができるが、このような実現は本願の範囲を超えるものと見なされるべきではない。
【０１１３】
当業者であれば明確に理解できるように、説明を容易且つ簡単にするために、上記説明されるシステム、装置及びユニットの具体的な動作過程は、前述の方法実施例における対応過程を参照してもよく、ここで繰り返して説明しない。
【０１１４】
本願に係るいくつかの実施例において、理解されるように、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１１５】
分離部材として説明される前記ユニットは物理的に分離してもよく、物理的に分離しなくてもよく、ユニットとして表示される部材は物理ユニットであってもよく、物理ユニットでなくてもよく、すなわち、一箇所に位置してもよく、複数のネットワークユニットに配置されてもよい。実際の必要に応じて、その一部又は全部のユニットを選択して本実施例案の目的を実現してもよい。
【０１１６】
また、本願の各実施例では、各機能ユニットは１つの処理ユニットに統合されてもよく、各ユニットは独立して物理的に存在してもよく、２つ又は２つ以上のユニットは１つのユニットに統合されてもよい。
【０１１７】
前記機能はソフトウェア機能ユニットの形式で実現され、独立した製品として販売又は使用されるときは、１つのコンピュータ可読記憶媒体に記憶されてもよい。このような理解に基づいて、本願の技術案の本質的又は従来技術に貢献する部分、又は前記技術案の一部はソフトウェア製品の形式で具現されてもよく、前記コンピュータソフトウェア製品は、１台のコンピュータ装置（パーソナルコンピュータ、サーバ又はネットワーク装置等）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０１１８】
以上の説明は本願の具体的な実施形態に過ぎず、本願の保護範囲を制限するためのものではなく、当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2021512541.tif 000003
【図２】
2021512541.tif 000004
【図３】
2021512541.tif 000005
【図４】
2021512541.tif 000006
【図５】
2021512541.tif 000007
【図６】
2021512541.tif 000008
【図７】
2021512541.tif 000009
【図８】
2021512541.tif 000010
【図９】
2021512541.tif 000011
【図１０】
2021512541.tif 000012
【図１１】
2021512541.tif 000013
【図１２】
2021512541.tif 000014
【図１３】
2021512541.tif 000015
【図１４】
2021512541.tif 000016
【図１５】
2021512541.tif 000017
【手続補正書】
【提出日】令和2年7月27日(2020.7.27)
【手続補正１】
【補正対象書類名】明細書
【補正対象項目名】００２９
【補正方法】変更
【補正の内容】
【００２９】
第９態様ではネットワーク装置を提供し、該ネットワーク装置は上記第４態様又は第４態様のいずれか１つの可能な実現方式における方法、又は上記第５態様又は第５態様のいずれか１つの可能な実現方式における方法、又は上記第６態様又は第６態様のいずれか１つの可能な実現方式における方法を実行することに用いられる。具体的に、該ネットワーク装置は上記第４態様又は第４態様のいずれか１つの可能な実現方式における方法、又は上記第５態様又は第５態様のいずれか１つの可能な実現方式における方法、又は上記第６態様又は第６態様のいずれか１つの可能な実現方式における方法を実行するためのユニットを備える。
【手続補正２】
【補正対象書類名】明細書
【補正対象項目名】００３０
【補正方法】変更
【補正の内容】
【００３０】
第１０態様ではネットワーク装置を提供し、該ネットワーク装置はメモリ、プロセッサ、入力インターフェース及び出力インターフェースを備える。メモリ、プロセッサ、入力インターフェース及び出力インターフェースはバスシステムによって接続される。該メモリは命令を記憶することに用いられ、該プロセッサは該メモリに記憶される命令を実行することに用いられ、上記第４態様又は第４態様のいずれか１つの可能な実現方式における方法、又は上記第５態様又は第５態様のいずれか１つの可能な実現方式における方法、又は上記第６態様又は第６態様のいずれか１つの可能な実現方式における方法を実行することに用いられる。
【手続補正３】
【補正対象書類名】明細書
【補正対象項目名】００３６
【補正方法】変更
【補正の内容】
【００３６】
図１は本願の実施例に適用される無線通信システム１００を示す。該無線通信システム１００はネットワーク装置１１０を備えてもよい。ネットワーク装置１１０は端末装置と通信する装置であってもよい。ネットワーク装置１１０は特定の地理的領域に通信カバレッジを提供することができ、且つ該カバレッジ領域内に位置する端末装置（例えば、ＵＥ）と通信することができる。選択肢として、該ネットワーク装置１１０はＬＴＥシステムにおける発展型基地局（ｅＮＢ又はｅＮｏｄｅＢ、Ｅｖｏｌｕｔｉｏｎａｌ  Ｎｏｄｅ  Ｂ）であってもよく、又は、該ネットワーク装置は中継局、アクセスポイント、車載装置、ウェアラブル装置、将来の５Ｇネットワークにおけるネットワーク側装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【手続補正４】
【補正対象書類名】明細書
【補正対象項目名】００６８
【補正方法】変更
【補正の内容】
【００６８】
更に、例えば、Ｌ＝２であって、ｂ１ｂ２が１９であって、端末装置のＩＤが１９１９である場合、前記端末装置はページングメッセージでページングされる端末装置が自体を含まないことを確定できる。
【手続補正５】
【補正対象書類名】明細書
【補正対象項目名】００９２
【補正方法】変更
【補正の内容】
【００９２】
図１３は本願の実施例に係るネットワーク装置の模式的なブロック図である。図１３に示されるネットワーク装置１３００は、
ページングメッセージをスケジューリングするための物理ダウンリンク制御チャネル（ＰＤＣＣＨ）を送信することに用いられ、前記ＰＤＣＣＨは指示情報と、ページングされた端末装置の識別情報とを含み、前記指示情報はページングメッセージがないことを指示することに用いられ、それにより端末装置は前記ページングされた端末装置の識別情報に前記端末装置の識別情報が含まれることを確定した場合、ランダムアクセス過程を開始する通信モジュール１３１０を備える。
【手続補正６】
【補正対象書類名】特許請求の範囲
【補正対象項目名】全文
【補正方法】変更
【補正の内容】
【特許請求の範囲】
【請求項１】
端末装置はページングメッセージをスケジューリングするための物理ダウンリンク制御チャネル（ＰＤＣＣＨ）を受信し、前記ＰＤＣＣＨはページングメッセージがあるかどうかを指示するための指示情報、及び／又は、前記ページングメッセージが前記端末装置に対するものかどうかを前記端末装置が確定するためのルール情報を含むことと、
前記端末装置が前記指示情報及び／又は前記ルール情報に基づいて、前記ページングメッセージを受信するかどうかを確定することと、を含むことを特徴とするページング方法。
【請求項２】
前記端末装置が前記指示情報及び／又は前記ルール情報に基づいて、前記ページングメッセージを受信するかどうかを確定することは、
前記指示情報がページングメッセージのないことを指示する場合、前記端末装置が前記ページングメッセージを受信しないことを確定することを含むことを特徴とする請求項１に記載の方法。
【請求項３】
前記端末装置が前記指示情報及び／又は前記ルール情報に基づいて、前記ページングメッセージを受信するかどうかを確定することは、
前記指示情報がページングメッセージのあることを指示する場合、前記端末装置が前記ルール情報に基づいて前記ページングメッセージを受信する必要があるかどうかを確定することを含むことを特徴とする請求項１に記載の方法。
【請求項４】
前記ルール情報は前記端末装置の識別情報が満足すべきルール条件を指示することに用いられ、前記端末装置が前記ルール情報に基づいて、前記ページングメッセージを受信するかどうかを確定することは、
前記端末装置の識別情報が前記ルール条件を満足し、前記ページングメッセージが前記端末装置に対するものであることを前記端末装置が確定した場合、前記ページングメッセージを受信することを確定すること、又は
前記端末装置の識別情報が前記ルール条件を満足せず、前記ページングメッセージが前記端末装置に対するものでないことを前記端末装置が確定した場合、前記ページングメッセージを受信しないことを確定することを含むことを特徴とする請求項３に記載の方法。
【請求項５】
前記ルール条件は、
端末装置の識別子のＸに対するモジュロ演算がＹであること、
端末装置の識別子の最後ビットがＺであること、
端末装置の識別子の下位Ｋビットがａ１ａ２・・・ａＫであること、
端末装置の識別子の上位Ｌビットがｂ１ｂ２・・・ｂＬであること、
端末装置の端末タイプ情報、のうちの少なくとも１つを含むことを特徴とする請求項４に記載の方法。
【請求項６】
端末装置であって、
複数の制御リソースセット（ＣＯＲＳＥＴ）から前記端末装置に対応するターゲットＣＯＲＳＥＴを確定することに用いられる確定モジュールと、
前記ターゲットＣＯＲＳＥＴにおける共通の探索空間において、ページングメッセージをスケジューリングするための物理ダウンリンク制御チャネル（ＰＤＣＣＨ）を受信することに用いられる通信モジュールと、
前記ＰＤＣＣＨに基づいて、前記ページングメッセージを取得することに用いられる取得モジュールと、を備えることを特徴とする端末装置。
【請求項７】
前記確定モジュールは具体的に、
前記端末装置の識別子（ＩＤ）に基づいて、前記複数のＣＯＲＳＥＴから前記ターゲットＣＯＲＳＥＴを確定することに用いられることを特徴とする請求項６に記載の端末装置。
【請求項８】
前記確定モジュールは具体的に、
前記複数のＣＯＲＳＥＴのうちの索引番号がｋであるＣＯＲＳＥＴを前記ターゲットＣＯＲＳＥＴとして確定することに用いられ、前記ｋ＝Ｍ  ｍｏｄ  Ｎであり、前記Ｍが前記端末装置のＩＤであり、前記Ｎが前記複数のＣＯＲＳＥＴの数であり、ｍｏｄがモジュロ演算を示すことを特徴とする請求項７に記載の端末装置。
【請求項９】
前記端末装置のＩＤは前記端末装置がページングサブフレーム又はページング時点を計算するためのＩＤであることを特徴とする請求項７又は８に記載の端末装置。
【請求項１０】
前記通信モジュールは更に、
ページングメッセージがあるかどうかを指示するための指示情報を受信することに用いられることを特徴とする請求項６〜９のいずれか１項に記載の端末装置。
【請求項１１】
前記通信モジュールは更に、
前記指示情報がページングメッセージのあることを指示する場合、前記ページングメッセージを受信することに用いられることを特徴とする請求項１０に記載の端末装置。
【請求項１２】
端末装置であって、
ページングメッセージをスケジューリングするための物理ダウンリンク制御チャネル（ＰＤＣＣＨ）を受信することに用いられ、前記ＰＤＣＣＨはページングメッセージがあるかどうかを指示するための指示情報、及び／又は、前記ページングメッセージが前記端末装置に対するものかどうかを前記端末装置が確定するためのルール情報を含む通信モジュールと、
前記指示情報及び／又は前記ルール情報に基づいて、前記ページングメッセージを受信するかどうかを確定することに用いられる確定モジュールと、を備えることを特徴とする端末装置。
【請求項１３】
前記確定モジュールは具体的に、
前記指示情報がページングメッセージのないことを指示する場合、前記ページングメッセージを受信しないことを確定することに用いられることを特徴とする請求項１２に記載の端末装置。
【請求項１４】
前記確定モジュールは更に、
前記指示情報がページングメッセージのあることを指示する場合、前記ルール情報に基づいて前記ページングメッセージを受信する必要があるかどうかを確定することに用いられることを特徴とする請求項１２に記載の端末装置。
【請求項１５】
前記ルール情報は前記端末装置の識別情報が満足すべきルール条件を指示することに用いられ、前記確定モジュールは具体的に、
前記端末装置の識別情報が前記ルール条件を満足し、前記ページングメッセージが前記端末装置に対することを確定した場合、前記ページングメッセージを受信することを確定すること、又は
前記端末装置の識別情報が前記ルール条件を満足せず、前記ページングメッセージが前記端末装置に対しないことを確定した場合、前記ページングメッセージを受信しないことを確定することに用いられることを特徴とする請求項１４に記載の端末装置。
【国際調査報告】
2021512541.tif 000018
2021512541.tif 000019
2021512541.tif 000020
2021512541.tif 000021